(57)【特許請求の範囲】
【請求項１】
上方に向かって立設された左右１対の脚柱と、その上部に載置された天板とによって構成される机へのパネルの取付構造において、
脚柱よりも幅広な前後寸法を有するパネル取付部が形成された支持ブラケットを、脚柱の前後部に跨って取り付けられる第１支持ブラケットと、この第１支持ブラケットの外側に、前後に跨って組み付けられる第２支持ブラケットとにより構成し、この第２支持ブラケットに、前記パネル取付部を形成し、前記パネル取付部に、連結手段をもって、パネルを連結することにより、左右いずれか一方の脚柱を用いて、パネルを支持したことを特徴とするパネルの取付構造。
【請求項２】
支持ブラケットを、脚柱の前後部を挾持する挾持部を形成したものとしたことを特徴とする請求項１記載のパネルの取付構造。
【請求項３】
連結手段を、パネル取付部の前後に複数開口させた達磨状の取付孔と、これら取付孔に整合するようにパネルの内側面に突出させた段付きボルトとにより掛止め可能に構成したことを特徴とする請求項１または２記載のパネルの取付構造。
【請求項４】
第１支持ブラケットを、脚柱の前部に、前方から嵌合させて取り付けられ、かつ脚柱の前部を挾持可能にする第１挾持部が形成された前部支持ブラケットと、この前部支持ブラケットに結合され、かつ脚柱の後部に、後方から嵌合されて取り付けられるとともに、脚柱の後部を挾持可能にする第２挾持部が形成された後部支持ブラケットとにより構成したことを特徴とする請求項１記載のパネルの取付構造。
【請求項５】
第２支持ブラケットを、第１支持ブラケットにおける前部支持ブラケットの第１挾持部に外側から左右方向に移動可能に嵌合保持される第１嵌合部と、第１支持ブラケットにおける後部支持ブラケットの第２挾持部に外側から左右方向に移動可能に嵌合保持される第２嵌合部とにより構成したことを特徴とする請求項４記載のパネルの取付構造。
【請求項６】
第１支持ブラケットにおける第１及び第２挾持部の左右両外側部に、上下１対の係止孔を設け、第２支持ブラケットの第１及び第２嵌合部の左右両内側部に、左右方向の内方に向けて互いに対向して突出させた上下１対の突出片を設けるとともに、所望の左右方向の移動位置において、左右いずれか一方の係止孔に突出片を係合させたことを特徴とする請求項４または５に記載のパネルの取付構造。
【請求項７】
第１支持ブラケットの第１及び第２挾持部と、第２支持ブラケットの第１及び第２嵌合部とを、所望の左右方向の移動位置において締結可能にしたことを特徴とする請求項４〜６のいずれかに記載のパネルの取付構造。
【請求項８】
上方に向かって立設された左右１対の脚柱と、その上部に載置された天板とによって構成される机へのパネルの取付構造において、
脚柱よりも幅広な前後寸法を有するパネル取付部が形成された支持ブラケットを、脚柱の前後部に跨って取り付けられる第１支持ブラケットと、この第１支持ブラケットの外側に、前後に跨って組み付けられる第２支持ブラケットとにより構成し、前記パネル取付部に、連結手段をもって、パネルを連結することにより、左右いずれか一方の脚柱を用いて、パネルを支持し、前記脚柱を、下部脚柱と、この下部脚柱の内部に昇降調整可能に挿嵌させて組み付けられる上部脚柱とで構成し、下部脚柱の上部に、前記第１及び第２支持ブラケットを取り付け、前記下部脚柱の上面に、段付き面を形成し、この段付き面上に、前記第１支持ブラケットにおける前部支持ブラケットに形成され、脚柱の前部を挾持可能にする第１挾持部の近傍において、内方に向け水平方向に延びる支持片を載置して係止させたことを特徴とするパネルの取付構造。
【発明の詳細な説明】
【技術分野】
【０００１】
本発明は、オフィス等の執務空間にて使用される天板の上下高さ調整が可能な天板昇降式机におけるパネルの取付構造に関する。
【背景技術】
【０００２】
オフィス等の執務空間においては、机の側面に、サイドパネルを取り付けることにより、例えば隣接する机との間を隔離し、執務環境の向上が図られるようにしている。
【０００３】
従来、このようなテーブルとサイドパネルとの取付構造としては、天板を支持する脚柱の側面に、係止孔を設け、この係止孔に、サイドパネルにブラケットをもって取り付けられた係止爪を係止させたり(例えば特許文献１，２参照)、天板側端に沿って、帯状ブラケットを設け、この帯状ブラケットとサイドパネルとを、連結手段をもって連結している（例えば特許文献３参照）。
また、脚柱の側面に、サイドパネルを上下高さ調整可能に取り付けたりしたものがある（例えば特許文献４）。
【特許文献１】特開２０００−２４５５５７号公報
【特許文献２】実開平０３−０６４０３４号公報
【特許文献３】特開２００３−２７５０４７号公報
【特許文献４】特開平１０−２１１０３３号公報
【発明の開示】
【発明が解決しようとする課題】
【０００４】
しかし、上記した特許文献１，２のものは、安価で簡易な構造でありながら、サイドパネルを確実に机の側面に取り付けることができる反面、サイドパネルの支持が、複数の脚柱やブラケットを用いて行わなければ、安定して取り付けることができず、机の脚構成が限定されるばかりでなく、脚柱に係止孔を設ける必要があるので、サイドパネル取外し状態においては、体裁が悪くなる。
【０００５】
上記した特許文献３のものでは、天板を利用してサイドパネルを連結しているので、天板の構造が制限される。
【０００６】
上記した特許文献４のものでは、天板昇降式テーブルのように、天板の高さを調整可能にするために、脚柱を昇降可能にしたものに、サイドパネルを脚柱の昇降側に取り付けると、天板の上下高さ調整に追従して、サイドパネルの高さも変更するので、天板の上下高さ調整毎に、サイドパネルの高さを、他の隣接する机におけるサイドパネルの高さに合わせて調整する必要がある。
【０００７】
本発明は、従来の技術が有する上記のような問題点に鑑み、机の脚構成や天板の構造に関する制限を緩和することができ、脚柱への加工を施す必要がなく、しかも、パネル取外し時における脚柱の体裁を良くすることができるとともに、脚柱へのパネルの取付けが容易に行うことができるようにした机へのパネルの取付構造を提供することを目的としている。
【課題を解決するための手段】
【０００８】
本発明によると、上記課題は、次のようにして解決される。
（１）  上方に向かって立設された左右１対の脚柱と、その上部に載置された天板とによって構成される机へのパネルの取付構造において、脚柱よりも幅広な前後寸法を有するパネル取付部が形成された支持ブラケットを、脚柱の前後部に跨って取り付けられる第１支持ブラケットと、この第１支持ブラケットの外側に、前後に跨って組み付けられる第２支持ブラケットとにより構成し、この第２支持ブラケットに、前記パネル取付部を形成し、前記パネル取付部に、連結手段をもって、パネルを連結することにより、左右いずれか一方の脚柱を用いて、パネルを支持する。
【０００９】
（２）  上記(１)項において、支持ブラケットを、脚柱の前後部を挾持する挾持部を形成したものとする。
【００１０】
（３）  上記（１）項または(２)項において、連結手段を、パネル取付部の前後部に複数開口させた達磨状の取付孔と、これら取付孔に整合するようにパネルの内側面に突出させた段付きボルトとにより掛止め可能に構成する。
【００１１】
（４）  上記（１）項において、第１支持ブラケットを、脚柱の前部に、前方から嵌合させて取り付けられ、かつ脚柱の前部を挾持可能にする第１挾持部が形成された前部支持ブラケットと、この前部支持ブラケットに結合され、かつ脚柱の後部に、後方から嵌合されて取り付けられるとともに、脚柱の後部を挾持可能にする第２挾持部が形成された後部支持ブラケットとにより構成する。
【００１２】
（５）  上記（４）項において、第２支持ブラケットを、第１支持ブラケットにおける前部支持ブラケットの第１挾持部に外側から左右方向に移動可能に嵌合保持される第１嵌合部と、第１支持ブラケットにおける後部支持ブラケットの第２挾持部に外側から左右方向に移動可能に嵌合保持される第２嵌合部とにより構成する。
【００１３】
（６）  上記（４）項または(５)項において、第１支持ブラケットにおける第１及び第２挾持部の左右両外側部に、上下１対の係止孔を設け、第２支持ブラケットの第１及び第２嵌合部の左右両内側部に、左右方向の内方に向けて互いに対向して突出させた上下１対の突出片を設けるとともに、所望の左右方向の移動位置において、左右いずれか一方の係止孔に突出片を係合させる。
【００１４】
（７）  上記（４）項〜（６）項のいずれかにおいて、第１支持ブラケットの第１及び第２挾持部と、第２支持ブラケットの第１及び第２嵌合部とを、所望の左右方向の移動位置において締結可能にする。
【００１５】
（８）  上方に向かって立設された左右１対の脚柱と、その上部に載置された天板とによって構成される机へのパネルの取付構造において、脚柱よりも幅広な前後寸法を有するパネル取付部が形成された支持ブラケットを、脚柱の前後部に跨って取り付けられる第１支持ブラケットと、この第１支持ブラケットの外側に、前後に跨って組み付けられる第２支持ブラケットとにより構成し、前記パネル取付部に、連結手段をもって、パネルを連結することにより、左右いずれか一方の脚柱を用いて、パネルを支持し、前記脚柱を、下部脚柱と、この下部脚柱の内部に昇降調整可能に挿嵌させて組み付けられる上部脚柱とで構成し、下部脚柱の上部に、前記第１及び第２支持ブラケットを取り付け、前記下部脚柱の上面に、段付き面を形成し、この段付き面上に、前記第１支持ブラケットにおける前部支持ブラケットに形成され、脚柱の前部を挾持可能にする第１挾持部の近傍において、内方に向け水平方向に延びる支持片を載置して係止させる。
【発明の効果】
【００１６】
本発明によると、次のような効果を奏することができる。
（ａ）  請求項１記載の発明によると、脚柱よりも幅広な前後寸法を有するパネル取付部に、連結手段をもって、パネルを連結するとともに、脚柱よりも幅広な前後寸法を有するパネル取付部が形成された支持ブラケットを、脚柱の前後に跨って取り付けてあるため、左右いずれか一方の脚柱を用いて、パネルを支持しても、パネルの取付けを、安定的にかつ確実に取り付けることができ、かつその取付け作業も容易である。
また、支持ブラケットを、脚柱の前後に跨って取り付けられる第１支持ブラケットと、この第１支持ブラケットの外側に、前後に跨って組み付けられる第２支持ブラケットとにより構成するとともに、この第２支持ブラケットに、パネル取付部を形成したので、パネルを、脚柱に対して、前倒れ及び後倒れすることなく、安定的かつ確実に保持することができる。
【００１７】
（ｂ）  請求項２記載の発明によると、支持ブラケットを脚柱に容易に強固に取り付けることができる。
【００１８】
（ｃ）  請求項３記載の発明によると、連結手段を、パネル取付部に複数開口させた達磨状の取付孔に、パネルの内側面に突出させた段付きボルトを掛け止めすることにより、支持ブラケットにパネルを連結するように構成してあるので、パネルの取付け及び取外し作業を容易にかつ簡単に行うことができる。
【００１９】
（ｄ）  請求項４記載の発明によると、第１支持ブラケットを、脚柱の前部から後方に向けて保持されかつ脚柱の前部を挾持可能とする第１挾持部が形成された前部支持ブラケットに、脚柱の後部から前方に向けて保持され、かつ、脚柱の後部を挾持可能とする第２挾持部が形成された後部支持ブラケットとにより構成してあるので、第１支持ブラケットを、脚柱に容易にかつ確実に取り付けることができる。
【００２０】
（ｅ）  請求項５記載の発明によると、第２支持ブラケットを、第１支持ブラケットにおける前部支持ブラケットの第１挾持部に外側から左右方向に移動可能に嵌合保持される第１嵌合部と、第１支持ブラケットにおける後部支持ブラケットの第２挾持部に外側から左右方向に移動可能に嵌合保持される第２嵌合部とにより構成してあるので、第２支持ブラケットを、第１支持ブラケットに簡単に組み付けることができるとともに、第２支持ブラケットにおける左右の組付位置調整を選択的に行うことができる。
【００２１】
（ｆ）  請求項６記載の発明によると、第１支持ブラケットにおける第１及び第２挾持部の左右両側部に、上下１対の係止孔を設け、第２支持ブラケットの第１及び第２嵌合部の左右両側部に、内方に向け突出させた上下１対の突出片を設けるとともに、所望の左右方向の移動位置において、左右いずれか一方の係止孔に突出片を係合させているので、第１支持ブラケットに対する第２支持ブラケットの位置決めを容易にかつ確実に行うことができ、作業性を高めることができる。
【００２２】
（ｇ）  請求項７記載の発明によると、第１支持ブラケットの第１及び第２挾持部と、第２支持ブラケットの第１及び第２嵌合部とを、所望の左右方向の移動位置において締結可能になっているので、第１および第２支持ブラケット同士の組付けを堅固に行うことができる。
【００２３】
（ｈ）  請求項８記載の発明によると、脚柱を、下部脚柱と、この下部脚柱の内部に昇降調整可能に挿嵌させて組み付けられる上部脚柱とで構成し、下部脚柱の上部に、支持ブラケットの第１及び第２支持ブラケットを取り付けるようになっているので、上部脚柱の昇降調整による天板の昇降に拘わらず、下部脚柱に対して、同一高さのパネルを、同一高さに安定的に取り付けることができる。
また、下部脚柱の上面に、段付き面を形成し、この段付き面上に、第１支持ブラケットにおける前部支持ブラケットに形成され、脚柱の前部を挾持可能にする第１挾持部の近傍において、内方に向け水平方向に延びる支持片を載置して係止させているので、脚柱に特殊な加工を一切施すことなく、前部支持ブラケットを、下部脚柱に安定して取り付けることができる。
【発明を実施するための最良の形態】
【００２４】
本発明の一実施形態を、添付図面を参照して説明する。
図１は、本発明の一実施形態を示す斜視図、図２は、支持ブラケットによる脚柱へのサイドパネルの取付状態を拡大して示す要部正面図、図３は、図２のIII−III線横断面図、図４は、支持ブラケットによる脚柱へのサイドパネルの取付状態を分解して示す分解斜視図である。図５は、第１支持ブラケットの分解斜視図、図６は、第２支持ブラケットの斜視図である。
【００２５】
図１〜図４に示すように、机(１)は、平板状の天板(２)と、この机(１)の背面に設けた幕板等の横桟(３)と、上方に向かって立設された左右１対の脚柱(４)(４)とによって構成され、これら左右の脚柱(４)(４)間の上部に、天板(２)が載置されている。左右の脚柱(４)は、図１に示すように、前方に延びる脚台(５)の後部に立設された前後に幅広な平面視矩形筒状の下部脚柱(６)と、この下部脚柱(６)の内部に昇降自在に挿嵌して組み付けられる前後に幅広な平面視矩形筒状の上部脚柱(７)とにより構成され、横桟(３)は、左右の下部脚柱(６)(６)間の後部に架設されている。下部脚柱（６）の上面には、段付き面(８)が形成されるようになっている。天板(２)の高さは、上部脚柱(７)の昇降調整により行われる。
【００２６】
図１において右方に位置する一方の脚柱(４)には、サイドパネル(９)が支持ブラケットをもって取り付けられている。この支持ブラケットは、図１、図２に示すように、下部脚柱(６)の上部に、前後に跨って取り付けられる第１支持ブラケット(10A)と第２支持ブラケット(10B)とを有する。
【００２７】
第１支持ブラケット(10A)は、図５に示すように、下部脚柱(６)の前部に挾持される前部支持ブラケット(11)と、下部脚柱(６)の後部に挾持される後部支持ブラケット(12)とより構成されている。
【００２８】
前部支持ブラケット(11)は、前後方向に延びる基板(13)の前端部を、左右方向の内方に向け平面視コ字形に折曲し、その前端面に、前方に向け平面視コ字形に膨出させた膨出部(14)を形成し、かつ、この膨出部(14)の左右の基端縁に、上下１対の係止孔(15)(15)をそれぞれ形成するとともに、膨出部(14)の前面左右に、上下１対のねじ孔(16)(16)がそれぞれ形成された第１挾持部(17)を有する。この第１挾持部(17)の外側近傍における基板(13)の前端部側には、左右方向の内方に向け水平方向に延びる支持片(18)が形成され、この支持片(18)は、図２及び図３に示すように、下部脚柱（６）の上面に形成された段付き面(８)に載置して係止されるようになっている。基板(13)の後端部には、左右方向の外方に向け平面視Ｌ字形に折曲させた連結片(19)が形成され、この連結片(19)には、上下１対の挿通孔(20)(20)が形成されている。
【００２９】
後部支持ブラケット(12)は、前後方向に延びる基板(21)の後端部を、左右方向の内方に向け平面視コ字形に折曲し、その後端面に、後方に向け平面視コ字形に膨出させた膨出部(22)を形成し、かつ、この膨出部(22)の左右の基端縁に、上下１対の係止孔(23)(23)をそれぞれ形成するとともに、膨出部(22)の後面左右に、上下１対のねじ孔(24)(24)がそれぞれ形成された第２挾持部(25)を有する。この第２挾持部(25)の左右方向の内側近傍における上端部には、前方に向け水平方向に延びる下向きＬ字形の掛止片(26)が形成され、この掛止片(26)は、左右の下部脚柱(６)(６)間の後部側に架設された横桟(３)の上面部に掛止されるようになっている。基板(21)の前端部には、左右方向の外方に向け平面視Ｌ字形に折曲させた連結片(27)が形成され、この連結片(27)は、前部支持ブラケット(11)の連結片(19)に対向位置し、この連結片(19)に設けた上下の挿通孔(20)(20)に整合する上下１対のねじ孔(28)(28)が形成されている。
【００３０】
第１支持ブラケット(10A)を下部脚柱(６)の上部に取り付けるには、図２〜図４に示すように、前部支持ブラケット(11)を、第１挾持部(17)を下部脚柱(６)の前部に嵌合して挾持させ、その支持片(18)を、下部脚柱（６）の上面に形成された段付き面(８)に載置して係止させることにより、下部脚柱(６)の上部に仮保持させるようになっている。後部支持ブラケット(12)は、第２挾持部(25)を下部脚柱(６)の後部に嵌合して挾持し、その掛止片(26)を、左右の下部脚柱(６)(６)間の後部側に架設された横桟(３)の上面部に嵌合して掛止させることにより、下部脚柱(６)の上部に仮保持させるようになっているとともに、互いに対向する前部支持ブラケット(11)の連結片(19)と後部支持ブラケット(12)の連結片(27)とを、上下の挿通孔(20)(20)及びねじ孔(28)(28)にボルト(29)(29)により締結して結合することにより、下部脚柱(６)の上部に、第１支持ブラケット(10A)が取り付けられるようになっている。
【００３１】
第２支持ブラケット(10B)は、図６に示すように、下部脚柱(６)よりも幅広な前後寸法を有する平板状の基板(30)により構成され、この基板(30)の内側面には、図２〜図４に示すように、第１支持ブラケット(10A)における前部支持ブラケット(11)の第１挾持部(17)に外側から嵌合保持される第１嵌合部(31)と、第１支持ブラケット(10A)における後部支持ブラケット(12)の第２挾持部(25)に外側から嵌合保持される第２嵌合部(32)とが、互いに前後に対向させて形成されている。
【００３２】
第１嵌合部(31)は、基板(30)の前後中間部を左右方向の内側に折曲させた折曲片(30a)の後面に、後方に向け開放する平面視コ字形のチャンネル部材(33)を組み付けることにより構成され、このチャンネル部材(33)は、左右方向の幅寸法が、図２に示すように、第１支持ブラケット(10A)の第１挾持部(17)における膨出部(14)の左右幅寸法よりも大きくして、第１挾持部(17)への嵌合状態において、左右方向に移動可能になっている。チャンネル部材(33)には、左右両側部に、第１挾持部(17)に形成した上下の係止孔(15)(15)に整合する上下１対の突出片(34)(34)が設けられ、前面中央部に、第１挾持部(17)の左右に形成した上下のねじ孔(16)(16)に整合する上下一対の挿通孔(35)(35)が設けられている。
【００３３】
第２嵌合部(32)は、基板(30)の後端部を左右方向の内側に折曲させた折曲片(30b)の前面に、前方に向け開放する平面視コ字形のチャンネル部材(36)を組み付けることにより構成され、このチャンネル部材(36)は、左右方向の幅寸法が、図２に示すように、第１支持ブラケット(10A)の第２挾持部(25)における膨出部(22)の左右幅寸法よりも大きくして、第２挾持部(25)への嵌合状態において、左右方向に移動可能になっている。チャンネル部材(36)には、左右両側部に、第２挾持部(25)に形成した上下の係止孔(23)(23)に整合する上下１対の突出片(37)(37)が設けられ、後面中央部に、第２挾持部(25)の左右に形成した上下のねじ孔(24)(24)に整合する上下一対の挿通孔(38)(38)が設けられている。
【００３４】
第２支持ブラケット(10B)を第１支持ブラケット(10A)に組み付けるには、図２〜図４に示すように、第１及び第２嵌合部(31)(32)を、第１支持ブラケット(10A)の前後両支持ブラケット(11)(12)における第１及び第２挾持部(17)(25)に、それぞれ外側から嵌合させ、第１及び第２挾持部(17)(25)の左右に設けた係止孔(15)(15)及び(23)(23)のいずれかに、突出片(34)(34)及び(37)(37)を係合させて仮保持し、第１および第２挾持部(17)(25)の左右に形成した上下のねじ孔(16)(16)及び(24)(24)のいずれかに、第１及び第２嵌合部(31)(32)の上下の挿通孔(35)(35)及び(38)(38)を整合させる。
【００３５】
次いで、互いに整合する第１および第２挾持部(17)(25)と第１及び第２嵌合部(31)(32)とのそれぞれのねじ孔(16)(35)及び(24)(38)に、ボルト(39)を螺合することにより、第１支持ブラケット(10A)に第２支持ブラケット(10B)を組み付けるようになっている。
【００３６】
サイドパネル(９)は、下部脚柱(６)の上部に組み付けられた第１及び第２支持ブラケット(10A)(10B)のうち、第２支持ブラケット(10B)に連結手段をもって、取り付けられている。この連結手段は、図４、図６に示すように、第２支持ブラケット(10B)のパネル取付部となる基板(30)における前部の上部に開口された１個の達磨状の取付孔(40)と、基板(30)の後部に開口された上下２個の達磨状の取付孔(41)(41)と、サイドパネル(９)の内側面に、基板(30)の前後部の各々の取付孔(40)及び(41)(41)と整合するように突出させて設けた３個の段付きボルト(42)とにより構成されている。
【００３７】
脚柱(４)へのサイドパネル(９)の取付けは、次のようにして行われる。すなわち、上記したように、支持ブラケット(10)を構成する第１支持ブラケット(10A)と第２支持ブラケット(10B)を、下部脚柱(６)の上部に取り付けた後、第２支持ブラケット(10B)の基板(30)に開口した各々の取付孔(40)(41)(41)に、サイドパネル(９)の内側面おける各々の段付きボルト(42)の頭部(42a)を挿入して引き下げて掛止めすることにより行われる。
【００３８】
サイドパネル(９)の脚柱(４)からの取外しは、サイドパネル(９)を持ち上げて、各々の段付きボルト(42)の頭部(42a)を、第２支持ブラケット(10B)の各々の取付孔(40)(41)(41)から抜き取ることにより行われる。
これにより、左右いずれか一つの脚柱(４)を用いて、サイドパネル(９)を、安定的にかつ確実に取り付けることができる。
【図面の簡単な説明】
【００３９】
【図１】本発明の一実施形態を示す斜視図である。
【図２】支持ブラケットによる脚柱へのサイドパネルの取付状態を拡大して示す要部正面図である。
【図３】図２のIII−III線横断面図である。
【図４】支持ブラケットによる脚柱へのサイドパネルの取付状態を分解して示す分解斜視図である。
【図５】第１支持ブラケットの分解斜視図である。
【図６】第２支持ブラケットの斜視図である。
【符号の説明】
【００４０】
(１)机
(２)天板
(３)横桟
(４)脚柱
(５)脚台
(６)下部脚柱
(７)上部脚柱
(８)段付き面
(９)サイドパネル
(10A)第１支持ブラケット
(10B)第２支持ブラケット
(11)前部支持ブラケット
(12)後部支持ブラケット
(13)基板
(14)膨出部
(15)係止孔
(16)ねじ孔
(17)第１挾持部
(18)支持片
(19)連結片
(20)挿通孔
(21)基板
(22)膨出部
(23)係止孔
(24)ねじ孔
(25)第２挾持部
(26)掛止片
(27)連結片
(28)ねじ孔
(29)ボルト
(30)基板（パネル取付部）
(30a)折曲片
(30b)折曲片
(31)第１嵌合部
(32)第２嵌合部
(33)チャンネル部材
(34)突出片
(35)挿通孔
(36)チャンネル部材
(37)突出片
(38)挿通孔
(39)ボルト
(40)取付孔
(41)取付孔
(42)段付きボルト
(42a)頭部
【図１】
0004943040.tif 000002
【図２】
0004943040.tif 000003
【図３】
0004943040.tif 000004
【図４】
0004943040.tif 000005
【図５】
0004943040.tif 000006
【図６】
0004943040.tif 000007